(57)【要約】  ＯＮＵ１０は、光信号を送信する光送信部２４と、光送信部２４を制御するためのイネーブル信号を出力する制御部２６と、イネーブル信号の異常を検出した場合に、光送信部２４からの光信号の送信を停止させるモノマルチ回路３０およびＡＮＤ回路３２とを備える。モノマルチ回路３０およびＡＮＤ回路３２は、イネーブル信号が所定時間以上有効状態となっている場合に、イネーブル信号が異常であると判定し、イネーブル信号を無効状態に遷移させる。
2012095890.tif 000002
【特許請求の範囲】
【請求項１】
ＰＯＮシステムの加入者側装置であって、
光信号を送信する光送信部と、
前記光送信部を制御するためのイネーブル信号を出力する制御部と、
イネーブル信号の異常を検出した場合に、前記光送信部からの光信号の送信を停止させる停止部と、
を備えることを特徴とする加入者側装置。
【請求項２】
前記停止部は、イネーブル信号が所定時間以上有効状態となっている場合に、イネーブル信号が異常であると判定することを特徴とする請求項１に記載の加入者側装置。
【請求項３】
前記停止部は、イネーブル信号の異常を検出した場合に、イネーブル信号を無効状態に遷移させることを特徴とする請求項２に記載の加入者側装置。
【請求項４】
前記停止部は、イネーブル信号の異常を検出した場合に、前記光送信部への電力供給を遮断することを特徴とする請求項２に記載の加入者側装置。
【請求項５】
前記光送信部は、光出力パワー情報を前記制御部に送信するよう構成されており、
前記制御部は、該光出力パワーの異常を検出した場合に、前記光送信部への電力供給を遮断することを特徴とする請求項１から４のいずれかに記載の加入者側装置。
【請求項６】
前記制御部は、イネーブル信号を無効状態としているにも拘わらず、光出力パワーが所定値以上である場合、光出力パワーが異常であると判定することを特徴とする請求項５に記載の加入者側装置。
【発明の詳細な説明】
【技術分野】
【０００１】
本発明は、ＰＯＮ（Passive Optical Network）システムに用いられる加入者側装置に関する。
【背景技術】
【０００２】
従来より、一般家庭等の加入者宅を対象とした加入者系光ファイバネットワークシステムとして、ＰＯＮシステムが知られている（例えば、特許文献１参照）。このＰＯＮシステムは、局側装置（以下、ＯＬＴ（Optical Line Terminal）とも呼ぶ）と、複数の加入者側装置（以下、ＯＮＵ（Optical Network Unitとも呼ぶ）と、ＯＬＴとＯＮＵの間に設けられた光ファイバと、光ファイバを分岐する光スプリッタとを備える。ＰＯＮシステムでは、ＯＬＴに接続された１本の光ファイバを複数のＯＮＵで共用することにより、低コストな光通信ネットワークを構築できる。
【先行技術文献】
【特許文献】
【０００３】
【特許文献１】特開２００７−１７３９０８号公報
【発明の概要】
【発明が解決しようとする課題】
【０００４】
ところで、ＰＯＮシステムにおいては、例えばある１つのＯＮＵが故障して、光信号を常時送信するモードになると、該光信号が同じ光ファイバに接続された他のＯＮＵからの光信号と衝突し、全てのＯＮＵがリンク断となる可能性がある。【０００５】
本発明はこうした状況に鑑みてなされたものであり、その目的は、ＰＯＮシステムにおいて、ＯＮＵから光信号が常時送信される事態を回避できる技術を提供することにある。
【課題を解決するための手段】
【０００６】
上記課題を解決するために、本発明のある態様の加入者側装置は、光信号を送信する光送信部と、光送信部を制御するためのイネーブル信号を出力する制御部と、イネーブル信号の異常を検出した場合に、光送信部からの光信号の送信を停止させる停止部とを備える。【０００７】
停止部は、イネーブル信号が所定時間以上有効状態となっている場合に、イネーブル信号が異常であると判定してもよい。【０００８】
停止部は、イネーブル信号の異常を検出した場合に、イネーブル信号を無効状態に遷移させてもよい。【０００９】
停止部は、イネーブル信号の異常を検出した場合に、光送信部への電力供給を遮断してもよい。【００１０】
光送信部は、光出力パワー情報を制御部に送信するよう構成されており、制御部は、該光出力パワーの異常を検出した場合に、光送信部への電力供給を遮断してもよい。【００１１】
制御部は、イネーブル信号を無効状態としているにも拘わらず、光出力パワーが所定値以上である場合、光出力パワーが異常であると判定してもよい。【００１２】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１３】
本発明によれば、ＰＯＮシステムにおいて、ＯＮＵから光信号が常時送信される事態を回避できる。
【図面の簡単な説明】
【００１４】
【図１】ＰＯＮシステムの一般的な構成を説明するための図である。
【図２】ＯＮＵの全体的な構成を説明するための図である。
【図３】本発明の第１実施形態に係るＯＮＵを説明するための図である。
【図４】本発明の第２実施形態に係るＯＮＵを説明するための図である。
【図５】本発明の第３実施形態に係るＯＮＵを説明するための図である。
【発明を実施するための形態】
【００１５】
図１は、ＰＯＮシステムの一般的な構成を説明するための図である。図１に示すように、ＰＯＮシステム１００は、ＯＬＴ１２に接続された１本の基幹光ファイバ１６が光スプリッタ１４により複数の分岐光ファイバ１８−１〜１８−ｎに分岐され、各分岐光ファイバ１８−１〜１８−ｎの端部にＯＮＵ１０−１〜１０−ｎが接続された構成となっている。なお、以下においては、ＯＮＵ１０−１〜１０−ｎを総称して適宜「ＯＮＵ１０」と呼ぶ。また、
分岐光ファイバ１８−１〜１８−ｎを総称して適宜「分岐光ファイバ１８」と呼ぶ。
【００１６】
ＰＯＮシステム１００において、ＯＬＴ１２から各ＯＮＵ１０への下り光信号は、時分割多重（ＴＤＭ：Time Division Multiplexing）により多重化された連続的な光信号である。一方、各ＯＮＵ１０からＯＬＴ１２への上り光信号は、ＴＤＭＡ（Time Division Multiple Access）方式により多重化される。ＴＤＭＡでは、各ＯＮＵ１０からの光信号が衝突するのを防ぐため、各光信号間にガードタイムと呼ばれる無信号区間が挿入される。そのため、ＯＬＴ１２から各ＯＮＵ１０への下り光信号が連続的な光信号となるのと異なり、ＯＮＵ１０からＯＬＴ１２への上り光信号は、信号の送出が間欠的に行われるバースト状の光信号となる。
【００１７】
図１には、各ＯＮＵ１０−１〜１０−ｎから送信された光信号♯１〜♯ｎが光スプリッタ１４により多重化され、バースト信号列としてＯＬＴ１２に入力される様子が示されている。
【００１８】
ＰＯＮシステムにおいては、一般的に、ＯＬＴの動的帯域割当機能（ＤＢＡ）により、各ＯＮＵの光信号の送信順序および各ＯＮＵに割り当てる信号帯域が制御される。図１では、ＤＢＡにより、光信号♯４、♯２、♯ｎ、♯１、♯３の順でバースト信号列が構成されている。
【００１９】
図１に示すようなＰＯＮシステム１００においては、例えばある１つのＯＮＵが故障して、光信号を常時送信するモードになると、該光信号が同じ基幹光ファイバ１６に接続された他のＯＮＵの光信号と衝突し、全てのＯＮＵがリンク断となる可能性がある。
【００２０】
図２は、ＯＮＵ１０の全体的な構成を説明するための図である。図２に示すように、ＯＮＵ１０は、ＷＤＭ素子２０と、光受信部２２と、光送信部２４と、制御部２６と、ユーザＩＦ終端部２８とを備える。
【００２１】
ＯＬＴから分岐光ファイバ１８を介して伝送された下り光信号は、ＷＤＭ素子２０により分波された後、光受信部２２に受信される。光受信部２２は、受信した光信号に対し、光電変換、増幅、クロック抽出、識別再生などの所定の処理を施した後、電気の主信号を制御部２６に送る。制御部２６は、光受信部２２からの主信号に対し、ＦＥＣデコード処理などの所定のデジタル信号処理を行った後、ユーザＩＦ終端部２８に出力する。ユーザＩＦ終端部２８は、主信号に所定の終端処理を施した後、ユーザＩＦ（Interface）に出力する。また、制御部２６は、光受信部２２を制御するためのＲｘイネーブル信号を光受信部２２に出力する。
【００２２】
また、ユーザＩＦ終端部２８には、ユーザＩＦからも電気の主信号が入力される。ユーザＩＦ終端部２８は、この主信号を制御部２６に入力する。制御部２６は、ユーザＩＦ終端部２８から受信した主信号に対し、ＦＥＣコード処理などの所定のデジタル信号処理を行った後、主信号を光送信部２４に出力する。光送信部２４は、受信した主信号を光信号に変換する。光送信部２４から出力された光信号は、ＷＤＭ素子２０を介して上り光信号として分岐光ファイバ１８に出力される。
【００２３】
制御部２６は、光送信部２４を制御するためのＴｘイネーブル信号を光送信部２４に出力する。また、光送信部２４は、自身が出力した光出力パワー情報をＴｘモニタ信号として制御部２６に出力する。
【００２４】
図３は、本発明の第１実施形態に係るＯＮＵ１０を説明するための図である。図３では、主に光送信用の機能ブロックを図示しており、光受信用の機能ブロックは図示を省略している。
【００２５】
図３に示すように、本実施形態に係るＯＮＵ１０は、光送信部２４と、光送信部２４を制御するための制御部２６と、モノマルチ回路３０と、ＡＮＤ回路３２と、光送信部２４に駆動電力を供給するための電源３４とを備える。本実施形態において、モノマルチ回路３０およびＡＮＤ回路３２は、Ｔｘイネーブル信号の異常を検出した場合に、光送信部２４からの光信号の送信を停止させる「停止部」として機能する。この停止部は、Ｔｘイネーブル信号が所定時間（例えば１００ｍｓ）以上有効状態（電圧ハイ）となっている場合に、イネーブル信号が異常であると判定し、Ｔｘイネーブル信号を無効状態（電圧ロー）移させる。
【００２６】
図３に示すように、制御部２６のＴｘイネーブル信号の出力端子は、ＡＮＤ回路３２の第１入力端子に接続されている。また、制御部２６のＴｘイネーブル信号の出力端子は、モノマルチ回路３０の入力端子Ｂに接続されている。モノマルチ回路３０の出力端子Ｑは、ＡＮＤ回路３２の第２入力端子に接続されている。ＡＮＤ回路３２の出力端子は、光送信部２４のＴｘイネーブル信号の入力端子に接続されている。
【００２７】
制御部２６は、光送信部２４に光信号送信を許可する場合、イネーブル信号を有効（電圧ハイ）にする。モノマルチ回路３０は、イネーブル信号がローからハイになる立ち上がりエッジを検出すると、出力端子Ｑから電圧ハイを出力し、所定時間が経過すると電圧ローを出力する。従って、制御部２６の故障により常時Ｔｘイネーブル信号が電圧ハイとなった場合、モノマルチ回路３０の出力端子Ｑは常時電圧ローを出力する。モノマルチ回路３０からの出力（電圧ロー）と制御部２６からのＴｘイネーブル信号（電圧ハイ）がＡＮＤ回路３２に入力されると、ＡＮＤ回路３２から電圧ローが光送信部２４のＴｘイネーブル信号入力端子に入力される。その結果、光送信部２４の光信号送信が停止される。
【００２８】
制御部から光送信部に直接Ｔｘイネーブル信号を出力した場合、制御部の故障によりＴｘイネーブル信号が常時有効（電圧ハイ）となってしまうと、光送信部は光信号を常時発出し続けてる可能性がある。そこで、本実施形態のように、モノマルチ回路３０とＡＮＤ回路３２を用いて、Ｔｘイネーブル信号が所定時間以上有効状態（電圧ハイ）となっている場合に、Ｔｘイネーブル信号を無効状態（電圧ロー）とすることにより、制御部２６が故障した場合であっても、光信号が常時出力される事態を回避できる。なお、ＰＯＮシステムにおいては、ＯＮＵ１０が光信号を送信できる時間に限度があるので、本実施形態のように所定時間経過後にＴｘイネーブル信号が有効から無効に遷移するよう構成しても問題ない。
【００２９】
図４は、本発明の第２実施形態に係るＯＮＵ１０を説明するための図である。図４においても、主に光送信用の機能ブロックを図示しており、光受信用の機能ブロックは図示を省略している。
【００３０】
図４に示すように、本実施形態に係るＯＮＵ１０は、光送信部２４と、光送信部２４を制御するための制御部２６と、モノマルチ回路３０と、ＮＡＮＤ回路３６と、光送信部２４に駆動電力を供給するための電源３４と、電源３４と光送信部２４の間に設けられたＰチャネルＦＥＴ３８とを備える。本実施形態において、モノマルチ回路３０、ＮＡＮＤ回路３６、およびＦＥＴ３８は、Ｔｘイネーブル信号の異常を検出した場合に、光送信部２４からの光信号の送信を停止させる「停止部」として機能する。この停止部は、Ｔｘイネーブル信号が所定時間（例えば１００ｍｓ）以上有効状態（電圧ハイ）となっている場合に、イネーブル信号が異常であると判定し、電源３４から光送信部２４への電力供給を遮断する。
【００３１】
図４に示すように、制御部２６のＴｘイネーブル信号の出力端子は、光送信部２４のＴｘイネーブル信号の入力端子に接続されている。また、制御部２６のＴｘイネーブル信号の出力端子は、モノマルチ回路３０の入力端子Ｂと、ＮＡＮＤ回路３６の第１入力端子に接続されている。モノマルチ回路３０の反転出力端子Ｑ＊は、ＮＡＮＤ回路３６の第２入力端子に接続されている。ＮＡＮＤ回路３６の出力端子は、ＦＥＴ３８のゲートに接続されている。また、ＦＥＴ３８のソースは電源３４に接続されており、ＦＥＴ３８のドレインは光送信部２４の電力入力端子に接続されている。
【００３２】
制御部２６は、光送信部２４に光信号送信を許可する場合、イネーブル信号を有効（電圧ハイ）にする。モノマルチ回路３０は、イネーブル信号がローからハイになる立ち上がりエッジを検出すると、出力端子Ｑから電圧ハイを出力し、所定時間が経過すると電圧ローを出力する。従って、制御部２６の故障により常時Ｔｘイネーブル信号が電圧ハイとなった場合、モノマルチ回路３０の反転出力端子Ｑ＊は常時電圧ハイを出力する。モノマルチ回路３０の反転出力端子Ｑ＊からの出力（電圧ハイ）と制御部２６からのＴｘイネーブル信号（電圧ハイ）がＮＡＮＤ回路３６に入力されると、ＮＡＮＤ回路３６から電圧ローがＦＥＴ３８のゲートに入力される。その結果、ＦＥＴ３８がオフとなり、電源３４から光送信部２４への電力供給が遮断されるので、光送信部２４の光信号送信が停止される。
【００３３】
以上説明したように、本実施形態に係るＯＮＵ１０では、Ｔｘイネーブル信号が所定時間以上有効状態（電圧ハイ）となっている場合に、電源３４と光送信部２４の間に設けられたＦＥＴ３８をオフとすることにより、制御部２６が故障した場合であっても光信号が常時出力される事態を回避できる。
【００３４】
図５は、本発明の第３実施形態に係るＯＮＵ１０を説明するための図である。図５においても、主に光送信用の機能ブロックを図示しており、光受信用の機能ブロックは図示を省略している。
【００３５】
図４に示すように、本実施形態に係るＯＮＵ１０は、電源３４と光送信部２４の間にＦＥＴ３８が設けられ、該ＦＥＴ３８のオン／オフが制御部２６により制御される点が図３に示す第１実施形態に係るＯＮＵと異なっている。また、本実施形態の制御部２６は、光送信部２４からのＴｘモニタ信号を監視するための監視部４０を備える。
【００３６】
上述の実施形態では、制御部２６が故障した場合に光信号出力を停止する構成について説明したが、本実施形態ではこれに加えて、光送信部２４が故障して常時発光状態となったときに、光送信部２４の光出力を停止できる構成となっている。
【００３７】
モノマルチ回路３０およびＡＮＤ回路３２を用いたＴｘイネーブル信号異常時の光出力停止については、第１実施形態と同様なので、説明を省略する。
【００３８】
図５に示すように、光送信部２４からのＴｘモニタ信号は、制御部２６の監視部４０に入力される。監視部４０は、光送信部２４の光出力パワーを定期的にモニタしている。監視部４０は、Ｔｘイネーブル信号を無効状態（電圧ロー）としているにも拘わらず、光送信部２４の光出力パワーが所定値以上である場合、光出力パワーが異常であると判定する。そして、監視部４０は、光出力パワーの異常を検出した場合、ＧＰＩＯ（General Purpose Input/Output）端子などを介してＦＥＴ３８のゲートに電圧ローを出力し、光送信部２４への電力供給を遮断する。その結果、光送信部２４の光出力送信が停止される。
【００３９】
以上説明したように、本実施形態に係るＯＮＵ１０によれば、制御部２６の故障時だけでなく、光送信部２４の故障時においても、光信号が常時出力される事態を回避できる。
【００４０】
以上、本発明を実施の形態をもとに説明した。この実施の形態は例示であり、それらの各構成要素や各処理プロセスの組合せによりいろいろな変形例が可能なこと、またそうした変形例も本発明の範囲にあることは当業者に理解されるところである。
【符号の説明】
【００４１】
１０  ＯＮＵ、  １２  ＯＬＴ、  １４  光スプリッタ、  １６  基幹光ファイバ、  １８  分岐光ファイバ、  ２０  ＷＤＭ素子、  ２２  光受信部、  ２４  光送信部、  ２６  制御部、  ２８  ユーザＩＦ終端部、  ３０  モノマルチ回路、  ３２  ＡＮＤ回路、  ３４  電源、  ３６  ＮＡＮＤ回路、  ３８  ＦＥＴ、  ４０  監視部、  １００  ＰＯＮシステム。
【産業上の利用可能性】
【００４２】
本発明は、ＰＯＮシステムに用いられるＯＮＵに利用できる。
【図１】
2012095890.tif 000003
【図２】
2012095890.tif 000004
【図３】
2012095890.tif 000005
【図４】
2012095890.tif 000006
【図５】
2012095890.tif 000007
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
ＰＯＮシステムの加入者側装置であって、
光信号を送信する光送信部と、
前記光送信部を制御するためのイネーブル信号を出力する制御部と、
イネーブル信号の異常を検出した場合に、前記光送信部からの光信号の送信を停止させる停止部と、
を備え、
前記停止部は、イネーブル信号が所定時間以上有効状態となっている場合に、イネーブル信号が異常であると判定してイネーブル信号を無効状態に遷移させるよう構成されており、
前記停止部は、
前記制御部からイネーブル信号を受信し、イネーブル信号が無効状態から有効状態になるエッジを検出すると出力信号を有効状態とし、所定時間が経過すると出力信号を無効状態とするよう構成されたモノマルチ回路と、
前記モノマルチ回路からの入力信号と、前記制御部からのイネーブル信号との論理積信号を前記光送信部に出力するＡＮＤ回路と、
を備えることを特徴とする加入者側装置。
【請求項２】
前記光送信部は、光出力パワー情報を前記制御部に送信するよう構成されており、
前記制御部は、該光出力パワーの異常を検出した場合に、前記光送信部への電力供給を遮断することを特徴とする請求項１に記載の加入者側装置。
【請求項３】
前記制御部は、イネーブル信号を無効状態としているにも拘わらず、光出力パワーが所定値以上である場合、光出力パワーが異常であると判定することを特徴とする請求項２に記載の加入者側装置。
【国際調査報告】
2012095890.tif 000008
2012095890.tif 000009